(57)【要約】【課題】制御基板に配線を半田付け等で接合した配線接合部に引張力等による応力がかかることを抑制できる調光器を提供する。【解決手段】調光器１０は、本体１１と、本体１１に立設された複数の放熱フィン３２と、複数の放熱フィン３２に隣接された制御基板２４と、制御基板２４に接合されるとともに、複数の放熱フィン３２間の収納溝３３に配設された入力配線および出力配線２７とを備えている。これにより、複数の放熱フィン３２間の収納溝３３に入力配線２６および出力配線２７をそれぞれ個別に収納して入力配線２６および出力配線２７を放熱フィン３２間に保持できる。【選択図】図５
2012114195.tif 000002
【特許請求の範囲】
【請求項１】
本体と、
前記本体に立設された複数の放熱フィンと、
前記複数の放熱フィンに隣接された制御基板と、
前記制御基板に接合されるとともに、前記複数の放熱フィン間の溝に配設された配線と、
を備えた調光器。
【請求項２】
請求項１に記載の調光器において、
前記複数の放熱フィンの溝の延長上に、前記制御基板に接合した配線接合部が配設された調光器。
【請求項３】
請求項２に記載の調光器において、
前記複数の放熱フィンが前記配線接合部に対して間隔をおいて配設された調光器。
【発明の詳細な説明】
【技術分野】
【０００１】
本発明は、本体に複数の放熱フィンが立設され、複数の放熱フィンに制御基板が隣接され、制御基板に配線が接合された調光器に関する。
【背景技術】
【０００２】
照明器具は、ランプに電流を供給してランプの点灯を制御するインバータと、インバータに調光信号を出力する調光器とを備えている。
調光器からインバータに調光信号を入力することによりインバータの出力を調整する。インバータの出力を調整することにより、ランプが任意の調光レベルに出力調整される（例えば、特許文献１参照）。
【先行技術文献】
【特許文献】
【０００３】
【特許文献１】特開２０１０−４５００６号公報（段落００３０、００５９、００６０）
【発明の概要】
【発明が解決しようとする課題】
【０００４】
ところで、通常の調光器は、本体内にコイルや制御基板を備え、コイルの配線が制御基板に半田付け等で接合されている。
ここで、制御基板に半田付け等で接合する配線は太くて硬い。このため、制御基板に半田付け等で接合した配線を整理する際に、配線接合部に引張力等による応力がかかる。
【０００５】
本発明は、前述した課題を解決するためになされたものであり、その目的は、制御基板に配線を半田付け等で接合した配線接合部に引張力等による応力がかかることを抑制できる調光器を提供することにある。
【課題を解決するための手段】
【０００６】
本発明の調光器は、本体と、前記本体に立設された複数の放熱フィンと、前記複数の放熱フィンに隣接された制御基板と、前記制御基板に接合されるとともに、前記複数の放熱フィン間の溝に配設された配線と、を備えている。
【０００７】
また、本発明の調光器は、前記複数の放熱フィンの溝の延長上に、前記制御基板に接合した配線接合部が配設されている。
【０００８】
さらに、本発明の調光器は、前記複数の放熱フィンが前記配線接合部に対して間隔をおいて配設されている。
【発明の効果】
【０００９】
本発明の調光器によれば、複数の放熱フィン間に配線を配設することにより放熱フィン間に配線を保持できる。これにより、制御基板に接合（半田付け）された配線接合部に引張力等による応力がかかることを抑制できるという効果を有する。
【図面の簡単な説明】
【００１０】
【図１】本発明に係る調光器を示す斜視図
【図２】図２の調光器を示す分解斜視図
【図３】図２の調光器を示す側面図
【図４】図２の調光器を示す平面図
【図５】本発明に係る調光器の放熱ブロックを示す斜視図
【発明を実施するための形態】
【００１１】
以下、本発明の実施形態に係る調光器について図面を参照して説明する。
【００１２】
図１に示すように、本発明の実施形態である調光器１０は、本体１１と、本体１１の底部１２に設けられた放熱板１５と、放熱板１５の一方の端部１５Ａ寄りに設けられた一対のコイル２１と、放熱板１５の他方の端部１５Ｂ寄りに設けられた制御基板２４と、制御基板２４に接合された入力配線（配線）２６および出力配線（配線）２７と、制御基板２４および一対のコイル２１間に設けられた放熱ブロック３１とを備えている。
【００１３】
この調光器１０は、例えば、照明器具に設けられ、インバータに調光信号を出力するものである。
調光器１０からインバータに調光信号を入力することにより、インバータの出力を調整できる。インバータの出力を調整することにより、インバータでランプの調光レベルを任意に調整できる。
【００１４】
図２に示すように、本体１１は、略矩形状に形成された底部１２と、底部１２の一端から立ち上げられた一方の側壁１３と、底部１２の他端から立ち上げられた他方の側壁１４とを有する。
この本体１１内に、放熱板１５、一対のコイル２１、制御基板２４および放熱ブロック３１が収納されている。
【００１５】
放熱板１５は、本体１１の底部１２に設けられた板材である。
この放熱板１５は、一方の側壁１３寄りに設けられた第１隆起部１６と、他方の側壁１４寄りに設けられた第２隆起部１７と、第１隆起部１６および第２隆起部１７間に設けられた中央部１８とを有する。
【００１６】
図３に示すように、第１隆起部１６は、底部１２に対して所定間隔Ｈ１だけ上方に隆起されている。
第２隆起部１７は、底部１２に対して所定間隔Ｈ２だけ上方に隆起されている。
中央部１８は、底部１２に接触されている。
第１隆起部１６および本体１１の底部１２間には放熱用に複数の放熱フィン３５が設けられている。また、第２隆起部１７の上面１７Ａには複数の発熱部品３６（図２も参照）が設けられている。
【００１７】
図２に示すように、一対のコイル２１は、ボビン２２に入力配線２６が巻き付けられている。そして、図４に示すように、ボビン２２から引き出された入力配線２６の端部２６Ａが制御基板２４の接合部２４Ａに半田付け等で接合されている。
【００１８】
図２、図３に示すように、制御基板２４は、第２隆起部１７に対して所定間隔開けて配置された状態で第２隆起部１７にビス２５を用いて設けられている。この制御基板２４は、放熱ブロック３１に隣接されている。
前述したように、制御基板２４の接合部２４Ａに入力配線２６の端部２６Ａが半田付け等で接合されている。また、図４に示すように、制御基板２４の接合部２４Ｂに出力配線２７の端部２７Ａが半田付け等で接合されている。
【００１９】
図３に示すように、放熱ブロック３１は、放熱板１５の中央部１８に載置されることにより、一対のコイル２１および制御基板２４間に配置されている。
この放熱ブロック３１は、図５に示すように、複数の放熱フィン３２が制御基板２４に沿って所定間隔Ｓ１をおいて設けられることにより、収納溝（溝）３３が形成されている。
複数の放熱フィン３２は、本体１１の底部１２に対して立設され、図３に示す制御基板２４に隣接されている。
【００２０】
図３に示すように、放熱板１５の中央部１８に放熱ブロック３１を載置することにより、複数の発熱部品３６の熱を放熱板１５を経て矢印Ａ方向に放熱できる。
また、放熱板１５の第２隆起部１７および本体１１の底部１２間に空間２９を備えることにより、複数の発熱部品３６の熱を第２隆起部１７を経て矢印Ｂ方向に放熱できる。
【００２１】
図５に示すように、複数の放熱フィン３２で形成された個別の収納溝３３に入力配線２６および出力配線２７がそれぞれ収納されている。
図４に示すように、収納溝３３から入力配線２６が制御基板２４に向けて延出され、延出された入力配線２６の端部２６Ａが制御基板２４の接合部２４Ａに半田付け等で接合されている。以下、入力配線２６の端部２６Ａが制御基板２４の接合部２４Ａに接合された配線接合部を入力配線接合部３７という。
【００２２】
また、収納溝３３から出力配線２７が制御基板２４に向けて延出され、延出された出力配線２７の端部２７Ａが制御基板２４の接合部２４Ｂに半田付け等で接合されている。以下、出力配線２７の端部２７Ａが制御基板２４の接合部２４Ｂに接合された配線接合部を出力配線接合部３８という。
【００２３】
個別の収納溝３３に入力配線２６および出力配線２７をそれぞれ個別に収納することにより、入力配線２６および出力配線２７を放熱フィン３２間に保持できる。
これにより、制御基板２４の接合部２４Ａに接合（半田付け）された入力配線接合部３７に引張力等による応力がかかることを抑制できる。
加えて、制御基板２４の接合部２４Ｂに接合（半田付け）された出力配線接合部３８に引張力等による応力がかかることを抑制できる。
【００２４】
ここで、複数の放熱フィン３２で形成された収納溝３３の延長上に入力配線接合部３７や出力配線接合部３８が配設されている。
よって、収納溝３３に配設された入力配線２６を真直ぐに入力配線接合部３７まで延出でき、収納溝３３に配設された出力配線２７を真直ぐに出力配線接合部３８まで延出できる。
これにより、入力配線接合部３７や出力配線接合部３８を無理に曲げる必要がなく、入力配線接合部３７や出力配線接合部３８に引張力が作用することを一層良好に抑えることができる。
【００２５】
ここで、複数の放熱フィン３２は、入力配線接合部３７に対して間隔Ｓ２（図３も参照）をおいて配設され、かつ、出力配線接合部３８に対して間隔Ｓ２をおいて配設されている。
これにより、複数の放熱フィン３２および入力配線接合部３７間に絶縁距離を確保でき、さらに、複数の放熱フィン３２および出力配線接合部３８間に絶縁距離を確保できる。
【００２６】
なお、本発明に係る調光器は、前述した実施形態に限定されるものではなく適宜変更、改良等が可能である。
例えば、実施形態で使用した調光器、本体、放熱板、制御基板、入力配線、出力配線、放熱ブロック、複数の放熱フィンおよび収納溝等の形状や構成は例示したものに限定するものではなく適宜変更が可能である。
【符号の説明】
【００２７】
１０  調光器
１１  本体
１５  放熱板
２４  制御基板
２６  入力配線（配線）
２７  出力配線（配線）
３１  放熱ブロック
３２  複数の放熱フィン
３３  収納溝（溝）
３７  入力配線接合部（配線接合部）
３８  出力配線接合部（配線接合部）
【図１】
2012114195.tif 000003
【図２】
2012114195.tif 000004
【図３】
2012114195.tif 000005
【図４】
2012114195.tif 000006
【図５】
2012114195.tif 000007